(57)【要約】【課題】長周期インタリーブ放送システムにおいて、降雨減衰によって放送信号の伝送誤りが多くなっても、外符号復号部の誤り訂正能力を高めて正常な視聴を可能にするディジタル放送受信装置を提供する。【解決手段】マイコン回路１０は受信部１から得る受信レベルＶを閾値Ｖｔｈと比較して受信状態の良否を示す受信エラーフラグ“０”又は“１”を出力する。Ｒ／Ｗ制御部４は、受信部１からディジタル復調部２と内符号復号部３を経て復号された受信データをバイトデータ単位（インタリーブの並び替え単位）でＨＤＤ５へ書き込む際に、マイコン回路１０の出力フラグを対応付けて書き込む。外符号復号部６は、Ｒ／Ｗ制御部４がデインタリーブ方式で読み出したデータをスロット単位で復号するが、悪い受信状態のフラグ“１”が対応しているバイトデータを消失データとみなして消失誤り訂正を実行する。【選択図】        図１
2005012480.tif 000002
【特許請求の範囲】
【請求項１】
ディジタル放送情報に対して外符号による誤り訂正符号化処理と長周期インタリーブ処理と内符号による誤り訂正符号化処理と変調処理とを施した放送信号を受信するディジタル放送受信装置であって、
前記放送信号を受信する受信手段と、
前記受信手段による受信信号を復調する復調手段と、
前記復調手段による復調データに対して内符号を用いた誤り訂正復号処理を行う内符号訂正手段と、
データ記憶手段と、
前記受信手段又は前記復調手段若しくは前記内符号訂正手段から受信状態の良否を検出し、その各状態を示す識別データを出力する受信状態検出手段と、
前記内符号訂正手段による復号データに対して、前記長周期インタリーブ処理の並び替え単位データ毎に前記受信状態検出手段が出力している識別データを対応付けて前記データ記憶手段に書き込む書き込み手段と、
前記書き込み手段が前記データ記憶手段に書き込んだ復号データを長周期デインタリーブ方式で読み出すと共に、その各並び替え単位データに対して前記書き込み段階で対応付けられた識別データを付加する読み出し手段と、
前記読み出し手段が読み出したデインタリーブ後のデータに対して外符号を用いた誤り訂正復号処理を行うと共に、その復号処理単位データ中の前記並び替え単位データに悪い受信状態を示す識別データが付加されている場合には、その識別データが付加された並び替え単位データを消失データとみなした消失誤り訂正を行う外符号訂正手段と
を具備したことを特徴とするディジタル放送受信装置。
【請求項２】
前記受信状態検出手段が、受信状態を良好な方から順に第１状態と第２状態と第３状態に区分し、前記第１状態では第１識別データを、前記第３状態では第２識別データを出力すると共に、前記第１状態から前記第２状態へ変化する場合には前記第２状態で前記第１識別データを出力し、前記第３状態から第２状態へ変化する場合には前記第２状態で前記第２識別データを出力する手段として構成され、
前記受信状態検出手段が前記第１状態から前記第２状態への変化を検出した時及び前記第２状態から前記第３状態への変化を検出した時に、その各時点における前記書き込み手段による前記データ記憶手段に対する並び替え単位データの書き込みアドレスデータを記憶するアドレス記憶手段と、
前記受信状態検出手段が前記第２状態から前記第３状態への変化を検出した時点から時間を計測するタイマ手段と、
前記タイマ手段による計測時間が所定時間以上になった場合には前記アドレス記憶手段の各書き込みアドレスデータを有効データとし、前記所定時間内に前記受信状態検出手段が前記第３状態から前記第２状態への変化を検出した場合には前記各書き込みアドレスデータを無効データとするアドレスデータ管理手段と、
前記アドレスデータ記憶手段に有効な書き込みアドレスデータが存在した場合に、前記データ記憶手段に書き込まれている前記各識別データの内、前記各有効アドレスデータ間の各並び替え単位データに対応付けられている前記第１識別データを前記第２識別データに書き換える識別データ書き換え手段と
を備えた請求項１に記載のディジタル放送受信装置。
【請求項３】
Ｎ組（Ｎは２以上の整数）の番組を異なる変調方式で階層化伝送する放送信号に対応するディジタル放送受信装置であって、
前記受信状態検出手段が、受信状態を（Ｎ＋１）段階以上に区分し、その各段階に応じて異なる識別データを出力する手段として構成されており、
前記放送信号の主信号から分離されて別途に復号して記憶せしめられた伝送多重制御信号の復号情報に基づいて、前記データ記憶手段における前記読み出し手段による長周期デインタリーブ方式での各並び替え単位データの変調方式を確認する変調方式確認手段と、
前記データ記憶手段に書き込まれた前記各並び替え単位データに対応する前記識別データを、前記変調方式確認手段が確認した前記各並び替え単位データの変調方式に応じて受信状態の良否を示す２段階の識別データに書き換える識別データ書き換え手段と
を備えた請求項１に記載のディジタル放送受信装置。
【請求項４】
前記受信状態検出手段が、受信状態をＭ段階（但し、Ｍは４以上の整数）に区分し、各段階に応じて異なる識別データを出力する手段として構成されており、
前記外符号復号手段が、復号処理単位データ中の各並び替え単位データに付加されている前記Ｍ段階の識別データをその中間段階を判別基準として受信状態の良否を示す２段階の識別データに書き換えた条件で誤り訂正復号処理を行う第１手順と、前記第１手順での誤り訂正復号処理が不能であった場合に、正常な誤り訂正復号又は最終的な訂正不能の結果が得られるまで、前記Ｍ段階の識別データを前記２段階の識別データに書き換えるための判別基準を適宜変更することにより前記識別データを書き換えた条件で誤り訂正復号処理を繰り返す第２手順を実行することとした請求項１に記載のディジタル放送受信装置。
【請求項５】
ディジタル放送情報に対して外符号による誤り訂正符号化処理と長周期インタリーブ処理と内符号による誤り訂正符号化処理と変調処理とを施した放送信号を受信するディジタル放送受信装置であって、
前記放送信号を受信する受信手段と、
前記受信手段による受信信号を復調する復調手段と、
前記復調手段による復調データに対して内符号を用いた誤り訂正復号処理を行う内符号訂正手段と、
前記内符号訂正手段による復号データから受信信号に含まれている同期信号の復号データを検出してその正常／異常を確認し、異常な同期信号であることが連続して確認された場合にはそれらの同期信号間に受信されている前記長周期インタリーブ処理の各並び替え単位データの復号データに対して悪い受信状態を示す識別データを対応付け、それ以外の場合には良好な受信状態を示す識別データを対応付ける識別データ付与手段と、
データ記憶手段と、
前記識別データ付与手段により前記識別データが対応付けられた前記長周期インタリーブ処理の各並び替え単位データを前記データ記憶手段に書き込む書き込み手段と、
前記書き込み手段が前記データ記憶手段に書き込んだ復号データを、前記識別データを対応付けたまま長周期デインタリーブ方式で読み出す読み出し手段と、
前記読み出し手段が読み出したデインタリーブ後のデータに対して外符号を用いた誤り訂正復号処理を行うと共に、その復号処理単位データ中の前記並び替え単位データに悪い受信状態を示す識別データが付加されている場合には、その識別データが付加された並び替え単位データを消失データとみなした消失誤り訂正を行う外符号訂正手段と
を具備したことを特徴とするディジタル放送受信装置。
【発明の詳細な説明】
【０００１】
【発明の属する技術分野】
本発明はディジタル放送受信装置に係り、特に長周期インタリーブを施した放送信号を受信して復号する受信装置おいて、降雨減衰等による受信状態の悪化があっても安定した放送の受信を可能にするための改良に関する。
【０００２】
【従来の技術】
現行の１２ＧＨｚ帯を使用するディジタル衛星放送（以下、「ＢＳディジタル放送」という）では、降雨減衰による伝送障害（雨滴による吸収と散乱によって電波の受信電力が低下する現象）により回線品質の低下が懸念されるため、階層化伝送方式等が講じられている。
これは、多値数の少ない変調方式を用いて低ビットレートの情報を並行して送信するものであり、多値数の少ない変調方式による伝送の方が所要Ｃ／Ｎ比が少なくてもよいため、高階層情報による視聴が困難な場合には、低階層の情報に切り換えることにより画品質は低下するがサービスの中断は防止できることになる。
【０００３】
そして、ＢＳディジタル放送では、ＭＰＥＧ−２システムのトランスポート・ストリーム（ＴＳ）を多重化した伝送データを生成し、この伝送データを１つの搬送波に変調して送信している。
また、内符号に畳み込み符号化、外符号にリード／ソロモン誤り訂正符号（ＲＳ符号）を付けることが規定されており、図１８に示すように、１バイトのフレーム同期信号・ＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号と１８７バイトの放送データとからなる１８８バイト分のトランスポート・ストリーム毎に、前記ＲＳ符号が１６バイトのパリティとして付加され、１スロットを２０４バイトで構成すると共に、４８スロット分で１フレームを構成するようになっている。
【０００４】
更に、ＢＳディジタル放送では、連続する同一符号の期間が冗長にならないようにするためにエネルギ拡散処理を行うと共に、畳み込み符号によるバーストエラーを回避するために外符号処理（ＲＳ符号化処理）と内符号処理（畳み込み符号化処理）の間にインタリーブ処理が行われるが、ここでは、後記の長周期インタリーブに関する説明の前提としてＢＳディジタル放送におけるインタリーブ処理について具体的に説明しておく。
【０００５】
ＢＳディジタル放送でのインタリーブ処理は、図１９に示すように、８フレームで構成されるスーパーフレーム単位で実行され、インタリーバによってフレーム同期信号やＴＭＣＣを除いた放送データとパリティに対してのみ行われる。
先ず、インタリーバは、同図に示すように、スーパーフレーム内の先頭フレーム（フレーム＃１）からフレーム＃８までをメモリに書き込む。
各フレーム＃１〜＃８は、前記のようにスロット＃１〜＃４８からなるものである。
【０００６】
次に、インタリーバは、書き込まれたスーパーフレームに対して、全フレームのｉ番目（ｉ＝１〜４８）のスロット面を順番に切り出し、各スロット面をインタリーブ・ブロックとしてデータをフレーム方向に読み出していく。
即ち、第１スロット面（スロット＃１）に対する読み出しでは、フレーム＃１の先頭バイトから行われ、フレーム＃２の先頭バイト、フレーム＃３の先頭バイト・・・の順にフレーム方向に１バイトずつ読み出されてゆき、フレーム＃８まで読み出すと再びフレーム＃１に戻り、そのフレーム＃１の２バイト目からフレーム方向に読み出しが繰り返すことになる。
そして、第１番目のスロット面について１スロット分のデータ（２０３バイト）を読み出すと、一旦その第１スロット面に対する読み出しを停止し、第２スロット面に対する読み出しを行う。
【０００７】
この第２スロット面に対する読み出しも、前記第１スロット面の場合と同様に、フレーム方向に１バイトずつ読み出しを行い、１スロット分のデータ（２０３バイト）を読み出すと、一旦第２スロット面に対する読み出しを一旦停止し、第３スロット面に対する読み出しを行う。
そして、以降同様にして、第３スロット面から第４８スロット面まで、フレーム方向に１バイトずつ１スロット分のデータ（２０３バイト）の読み出しを行う。
【０００８】
次に、インタリーバは、再び第１スロット面（スロット＃０）に戻り、第１スロット面の２０４バイト目から、フレーム方向に１バイトずつデータの読み出しを行い、この場合も１スロット分のデータ（２０３バイト）を読み出すと、一旦第１スロット面に対する読み出しを停止して、第２スロット面へ移る。
そして、以降も同様にして、第３スロット面から第４８スロット面まで、フレーム方向に１バイトずつ１スロット分（２０３バイト）のデータの読み出しを行うことになる。
その結果、第４８スロット面で第８フレームの最終バイトまでの読み出しを行うと、１スーパーフレーム分のインタリーブ処理が完了し、次のスーパーフレームに対するインタリーブ処理へ移行する。
【０００９】
即ち、ＢＳディジタル放送のインタリーブ処理では、各フレームの第ｉスロットを切り出して形成されるスロット面を１つのインタリーブ・ブロックとし、そのブロックを４８個並列に用いたブロックインタリーブを行っていることになる。
尚、ＢＳディジタル放送では、スーパーフレームにダミースロットが含まれている場合には、このダミースロットも有効スロットと同様に、インタリーブ／デインタリーブが行われる。
【００１０】
ところで、前記の１２ＧＨｚ帯のＢＳディジタル放送に加えて、今後にサービスが予定されている２１ＧＨｚ帯のＢＳディジタル放送では降雨減衰の影響が更に顕著になることが想定され、この点を踏まえた放送サービス方法として、下記の非特許文献１に示すようなタイムダイバーシチ効果の検討や下記特許文献１及び２に示すような長周期インタリーブ放送システムの提案がなされている。
【００１１】
そして、前記の検討・提案の内の長周期インタリーブ放送システムは、降雨等による伝送遮断時間よりも十分に長い周期のインタリーブを番組データに対して施して放送するものであり、その概念は図２０に示される。
先ず、番組データに長周期インタリーブが施されることにより、番組データに含まれる各データブロック（バイトデータ）Ｄ１，Ｄ２，Ｄ３，…，Ｄａ，Ｄｂ，Ｄｃ，…はその時系列がインタリーブの深さに亘って分散され、その分散された状態で送信データとして放送される。
放送された送信データはディジタル放送受信装置側で受信されるが、降雨減衰量が大きい時間帯の受信データにバースト誤りが発生していても（図ではＤｂ，Ｄ４）、その受信データを前記長周期インタリーブに対応したデインタリーブを行うと極めて長い時間帯に受信したデータの中に分散されることになり、その分散によって外符号を用いた誤り訂正を行える可能性が高くなる。
長周期インタリーブ放送システムは、その原理に基づいて悪天候下であっても放送サービスの視聴が正常に行えるようにするものである。
【００１２】
前記の長周期インタリーブ放送システムは、図２１に示すような送信装置と受信装置の構成によって実現される。
同図において、５０は送信装置を、６０は受信装置を、７０は放送衛星を示す。
送信装置５０は、入力される放送番組の映像・音声信号をビデオ／オーディオエンコーダ部５１でエンコードした後、外符号符号化部５２でＲＳ符号化処理を行い、その符号化データをＲ／Ｗ制御部５３によって一旦大容量記憶装置（図ではハードディスク装置：ＨＤＤ５４）に対して書き込む。
ＨＤＤ５４に書き込まれた符号化データは、図２２に示すように、数時間から２４時間に亘る放送番組を時系列でフレームに構成したものである。
【００１３】
そして、ＨＤＤ５４の符号化データはＲ／Ｗ制御部５３によって長周期インタリーブ方式で読み出されるが、従来のＢＳディジタル放送におけるインタリーブ方式（図１９）と異なり、前記の数時間から２４時間に亘る放送番組のフレームをインタリーブ深さとして読み出しを実行する。
即ち、従来のＢＳディジタル放送のインタリーブの深さは数ミリ秒から数秒程度であるのに対して、ＨＤＤ５４を用いて極めて長時間のインタリーブ深さを設定したインタリーバになっている。
これは、従来のＢＳディジタル放送でのインタリーブが畳み込み符号では訂正できないバーストエラーを回避することを目的としているのに対して、この長周期インタリーブは前記のように降雨減衰等によるデータ誤りを分散させて外符号による誤り訂正の可能性を高めることを目的としているためである。
従って、インタリーブの際の読み出し方法は、基本的にはＢＳディジタル放送と類似したものとなるが、インタリーブ深さがスーパーフレーム単位のように短いものではなく、前記のとおり極めて長時間に亘るものとなる。
【００１４】
インタリーブされた外符号による符号化データは内符号符号化部５５へ転送され、内符号による誤り訂正符号化処理（畳み込み符号化）が施された後、ディジタル変調部５６でＴＣ８ＰＳＫ（Ｔｒｅｌｌｉｓ  Ｃｏｄｅｄ  ８  Ｐｈａｓｅ  Ｓｈｉｆｔ  Ｋｅｙｉｎｇ）やＱＰＳＫ（Ｑｕａｄｒａｔｕｒｅ  Ｐｈａｓｅ  Ｓｈｉｆｔ  Ｋｅｙｉｎｇ）等の変調が施され、送信部５７から放送衛星７０を介して放送される。
【００１５】
一方、受信装置６０側では、放送衛星７０からの放送電波を受信部６１で受信し、その受信信号をディジタル復調部６２で復調した後、内符号復号部６３で内符号を用いた復号を行い、その復号データをＲ／Ｗ制御部６４がＨＤＤ６５へ書き込む。
そして、長周期インタリーブされた放送番組の全データがＨＤＤ６５に書き込まれた後、Ｒ／Ｗ制御部６４は送信装置５０側のインタリーブ方式に対応した長周期デインタリーブ方式で読み出し、放送番組の時系列に沿ったフレーム構成で外符号復号部６６へ転送する。
外符号復号部６６では外符号（ＲＳ符号）を用いた誤り訂正を実行して復号し、その復号データをビデオ・オーディオデコード部６７へ転送して、放送番組のデコード・再生が行われる。
その場合、前記のように長周期インタリーブが適用されているため、降雨減衰等があっても外符号を用いた誤り訂正の成功率は高くなる。
【００１６】
【特許文献１】
特開２０００−２１７１０１号公報
【特許文献２】
特開２００２−２０４１７２号公報
【非特許文献１】
「２１ＧＨｚ帯高度衛星放送システムにおけるタイムダイバーシチ効果の検討」  テレビジョン学会技術報告  Ｖｏｌ．２０，Ｎｏ．１０
【００１７】
【発明が解決しようとする課題】
ところで、たとえ長周期インタリーブによるディジタル放送であっても、集中豪雨等で降雨時間が非常に長い場合や頻繁に降雨が発生する日においては、電波の降雨減衰が長時間に亘り又は断続的にデータ誤りが多く発生し、回線中断時間も長くなることにより外符号復号部による誤り訂正能力の限界を超えて番組の正常な視聴が行えなくなることもあり得る。
この問題に対して、インタリーブ深さを更に長時間にすれば回線障害時間に対する耐性は強くなるが、インタリーブ深さが長くなると、必然的に放送が視聴可能になるまでの時間、換言すれば番組コンテンツの伝送所要時間が長くなるという欠点が顕著になるため、当然にその対策には限度がある。
【００１８】
そこで、本発明は、前記の問題点に鑑みて、降雨時間が非常に長時間に及ぶ場合や頻繁に降雨が発生する状況で放送信号の伝送誤りが多くなってディジタル放送の視聴品質が低下する場合にも、外符号復号部による誤り訂正能力を高めて正常な視聴を実現できるディジタル放送受信装置を提供することを目的として創作された。
【００１９】
【課題を解決するための手段】
第１の発明は、ディジタル放送情報に対して外符号による誤り訂正符号化処理と長周期インタリーブ処理と内符号による誤り訂正符号化処理と変調処理とを施した放送信号を受信するディジタル放送受信装置であって、前記放送信号を受信する受信手段と、前記受信手段による受信信号を復調する復調手段と、前記復調手段による復調データに対して内符号を用いた誤り訂正復号処理を行う内符号訂正手段と、データ記憶手段と、前記受信手段又は前記復調手段若しくは前記内符号訂正手段から受信状態の良否を検出し、その各状態を示す識別データを出力する受信状態検出手段と、前記内符号訂正手段による復号データに対して、前記長周期インタリーブ処理の並び替え単位データ毎に前記受信状態検出手段が出力している識別データを対応付けて前記データ記憶手段に書き込む書き込み手段と、前記書き込み手段が前記データ記憶手段に書き込んだ復号データを長周期デインタリーブ方式で読み出すと共に、その各並び替え単位データに対して前記書き込み段階で対応付けられた識別データを付加する読み出し手段と、前記読み出し手段が読み出したデインタリーブ後のデータに対して外符号を用いた誤り訂正復号処理を行うと共に、その復号処理単位データ中の前記並び替え単位データに悪い受信状態を示す識別データが付加されている場合には、その識別データが付加された並び替え単位データを消失データとみなした消失誤り訂正を行う外符号訂正手段とを具備したことを特徴とするディジタル放送受信装置に係る。
【００２０】
この発明では、データ記憶手段と書き込み手段と読み出し手段とでデインタリーバが構成されるが、書き込み手段によるデータ記憶手段への書き込み段階で、内符号訂正手段が処理した復号データにおける長周期インタリーブ処理の並び替え単位データ毎に受信状態の良否を示す識別データが対応付けられ、読み出し手段によるデータ記憶手段からのデインタリーブ方式での読み出し段階で前記並び替え単位データ毎に前記識別データが付加される。
そして、外符号復号手段による復号処理単位データは所定数の並び替え単位データによって構成されることになるが、外符号復号手段は処理単位データ中の各並び替え単位データに付加された識別データに１つでも悪い受信状態を示すものが含まれていれば、その識別データに対応する並び替え単位データを消失データとみなした消失誤り訂正による復号処理を実行する。即ち、悪い受信状態を示す識別データは所謂消失フラグとしての意義を有している。
消失誤り訂正によれば、同じ誤り訂正符号を用いて誤り位置を確認しないままに訂正を行う場合と比較して２倍の訂正能力を持つことができるため、識別データで誤り位置を確認しながら消失誤り訂正を行うことで、長周期デインタリーブ方式であることと併せて高い確度での訂正を実現できる。
尚、受信状態検出手段による受信状態の良否の検出方式としては、受信手段での搬送波レベルを検出する方式が一般的であるが、復調手段から検出する場合にはコンスタレーションの残留ベクトル誤差を検出する方式が採用でき、内符号訂正手段から検出する場合にはビタビ復号での尤度判定結果を検出する方式が採用できる。
【００２１】
ところで、放送電波は、降雨による場合には長時間に亘って大きく減衰するが、それ以外にも様々な要因で瞬間的な減衰がランダムに発生することがある。
そして、外符号復号手段における消失誤り訂正には制限があり、消失データの数が限界を超えると訂正不能と判断する。例えば、ＲＳ符号（２０４．１８８．１７）による誤り訂正の場合、２０３バイト中で１７個以上の消失データが発生すると訂正不能となる。
従って、前記のような瞬間的な減衰について悪い受信状態を示す識別データが頻繁に付加されると、逆に訂正不能になる機会が多くなる。また、瞬間的な減衰による受信状態の悪化ではその減衰量も小さいことも多く、必ずしも伝送誤りが発生しているとは限らない。
一方、降雨開始時においても前記と類似した瞬間的な減衰が散発的に発生するが、その減衰については後の本格的な減衰の前兆であり、その時間帯に受信される並び替え単位データに対しては悪い受信状態の識別データを対応付けておいた方が良い。
【００２２】
この問題点に対しては、前記発明において次のような構成を採用することが有効である。
即ち、前記第１の発明において、前記受信状態検出手段が、受信状態を良好な方から順に第１状態と第２状態と第３状態に区分し、前記第１状態では第１識別データを、前記第３状態では第２識別データを出力すると共に、前記第１状態から前記第２状態へ変化する場合には前記第２状態で前記第１識別データを出力し、前記第３状態から第２状態へ変化する場合には前記第２状態で前記第２識別データを出力する手段として構成され、前記受信状態検出手段が前記第１状態から前記第２状態への変化を検出した時及び前記第２状態から前記第３状態への変化を検出した時に、その各時点における前記書き込み手段による前記データ記憶手段に対する並び替え単位データの書き込みアドレスデータを記憶するアドレス記憶手段と、前記受信状態検出手段が前記第２状態から前記第３状態への変化を検出した時点から時間を計測するタイマ手段と、前記タイマ手段による計測時間が所定時間以上になった場合には前記アドレス記憶手段の各書き込みアドレスデータを有効データとし、前記所定時間内に前記受信状態検出手段が前記第３状態から前記第２状態への変化を検出した場合には前記各書き込みアドレスデータを無効データとするアドレスデータ管理手段と、前記アドレスデータ記憶手段に有効な書き込みアドレスデータが存在した場合に、前記データ記憶手段に書き込まれている前記各識別データの内、前記各有効アドレスデータ間の各並び替え単位データに対応付けられている前記第１識別データを前記第２識別データに書き換える識別データ書き換え手段とを設けておく。
【００２３】
この構成によれば、タイマ手段によって第３状態の継続時間を計測し、受信状態の悪化が瞬間的な減衰であるか降雨による長時間に亘る減衰であるかを判別する。
そして、受信状態検出手段は第１状態から第２状態へ変化する場合にはそれらの各状態について第１識別データを出力しており、第３状態の継続時間が所定時間以上になった場合にのみ、前記変化過程における第２状態に対応する第１識別データを第２識別データに書き換えるようにしている。
従って、受信状態が瞬間的に第２状態に悪化しても、内符号訂正手段で復号された各並び替え単位データ毎に対応付けられる識別データは第１識別データのままであり、実質的に降雨の時間帯のみに第２識別データを付加させることができるため、外符号復号手段での誤り訂正において消失データとみなす個数を合理的に減じることができる。
【００２４】
次に、ディジタル放送では複数の番組を異なった変調方式で階層化伝送する場合が多いが、データ誤りの発生率は変調方式によって異なる。
例えば、各番組に係る変調方式としてＴＣ８ＰＳＫやＱＰＳＫやＢＰＳＫ（Ｂｉｎａｒｙ  Ｐｈａｓｅ  Ｓｈｉｆｔ  Ｋｅｙｉｎｇ）が採用されている場合、位相数についてみるとＴＣ８ＰＳＫが最も大きく、ＢＰＳＫが最も小さくなり、データ誤りの発生率は位相数が大きいほど高くなる傾向がある。即ち、位相数が大きいと高いビットレートを確保できるが、所要ＣＮ比は大きくなり降雨に対する耐性が弱くなる。
従って、階層化伝送されるディジタル放送に対しては、受信状態の良否を示す識別データを一律に対応付けるよりも、番組毎の変調方式によって適応的に割り付けるようにした方が合理的である。即ち、外符号復号手段で並び替え単位データを消失データとみなされる個数を減らすことができ、消失データの過剰によって訂正不能と判断されてしまうことを防止できる。
【００２５】
そのような機能を実現するためには、前記発明に対して次のような構成を適用すればよい。
即ち、前記第１の発明のディジタル放送受信装置がＮ組（Ｎは２以上の整数）の番組を異なる変調方式で階層化伝送する放送信号に対応するものである場合において、前記受信状態検出手段が、受信状態を（Ｎ＋１）段階以上に区分し、その各段階に応じて異なる識別データを出力する手段として構成されており、前記放送信号の主信号から分離されて別途に復号して記憶せしめられた伝送多重制御信号の復号情報に基づいて、前記データ記憶手段における前記読み出し手段による長周期デインタリーブ方式での各並び替え単位データの変調方式を確認する変調方式確認手段と、前記データ記憶手段に書き込まれた前記各並び替え単位データに対応する前記識別データを、前記変調方式確認手段が確認した前記各並び替え単位データの変調方式に応じて受信状態の良否を示す２段階の識別データに書き換える識別データ書き換え手段とを設ける。
【００２６】
この構成によれば、受信状態検出手段は（Ｎ＋１）段階以上の受信状態を検出して各状態別に異なる識別データを出力し、書き込み手段がデータ記憶手段に対して内符号訂正手段が処理した並び替え単位データを書き込む際に、前記各段階に分かれた識別データを対応付ける。
一方、複数の番組を異なる変調方式で階層化伝送する放送信号では、各番組に係る放送信号の変調方式を伝送多重制御信号に含めて送信するため、その復号情報から各並び替えデータの変調方式を確認することができる。
そこで、書き込み手段は、確認した変調方式に基づいて、既にデータ記憶手段に書き込まれている各並び替えデータに係る（Ｎ＋１）段階の識別データを受信状態の良否を示す２段階の識別データに書き換える。
この書き換えは、位相数が大きい変調方式に係る放送番組の並び替えデータに対しては悪い受信状態を示す識別データをより広く設定する規則をもって行われる。
【００２７】
次に、前記発明における受信状態検出手段は受信状態の良否を示す識別データを出力するが、判別基準に近い受信状態で受信した並び替えデータに関しては、悪い受信状態を示す識別データが対応付けられていても、必ずしも全てがエラーになっている訳ではない。
また、外符号復号手段では、前記のように消失誤り訂正の制限があるため、消失データの数が限界を超えると訂正不能と判断してしまう。
従って、外符号復号手段において訂正不能が発生した際に、その復号処理単位データ中の並び替え単位データに対応付けられている識別データを変更すれば誤り訂正が可能になる場合も少なくない。
【００２８】
この問題に対しては、前記発明において次のような構成を適用することが有効である。
即ち、前記第１の発明において、前記受信状態検出手段が、受信状態をＭ段階（但し、Ｍは４以上の整数）に区分し、各段階に応じて異なる識別データを出力する手段として構成されており、前記外符号復号手段が、復号処理単位データ中の各並び替え単位データに付加されている前記Ｍ段階の識別データをその中間段階を判別基準として受信状態の良否を示す２段階の識別データに書き換えた条件で誤り訂正復号処理を行う第１手順と、前記第１手順での誤り訂正復号処理が不能であった場合に、正常な誤り訂正復号又は最終的な訂正不能の結果が得られるまで、前記Ｍ段階の識別データを前記２段階の識別データに書き換えるための判別基準を適宜変更することにより前記識別データを書き換えた条件で誤り訂正復号処理を繰り返す第２手順を実行することとする。
【００２９】
この構成によれば、受信状態検出手段がＭ段階に分かれた識別データを出力するため、前記データ記憶手段に記憶せしめられた各並び替え単位データに対応付けられている識別データはＭ種類になる。
外符号復号手段では、長周期デインタリーブによって構成された復号処理単位データの各並び替え単位データに対応付けられている各識別データについて、先ず、前記Ｍ種類の識別データをそのＭ段階の中間段階を判別基準として２段階の識別データに書き換えた条件で復号処理単位データの誤り訂正を行うが（第１手順）、その処理結果が訂正不能であった場合には、書き換えのための判別基準を変更し、その基準による書き換え後の識別データに基づいて再び復号処理単位データに対する誤り訂正を行い、その試行は正常な誤り訂正又は訂正不能の結果が得られるまで繰り返される（第２手順）。
この第２手順での識別データの書き換えは、Ｍ段階の中で判別基準を中間段階から上げるか又は下げることによって行われ、復号処理単位データ中の各並び替え単位データについて受信状態の良否を示す２段階の識別データの比率を変更させることになる。
従って、この構成によれば、識別データの不確かさによって外符号復号段階で訂正不能が生じる場合を可能な限り少なくすることができる。
【００３０】
第２の発明は、ディジタル放送情報に対して外符号による誤り訂正符号化処理と長周期インタリーブ処理と内符号による誤り訂正符号化処理と変調処理とを施した放送信号を受信するディジタル放送受信装置であって、前記放送信号を受信する受信手段と、前記受信手段による受信信号を復調する復調手段と、前記復調手段による復調データに対して内符号を用いた誤り訂正復号処理を行う内符号訂正手段と、前記内符号訂正手段による復号データから受信信号に含まれている同期信号の復号データを検出してその正常／異常を確認し、異常な同期信号であることが連続して確認された場合にはそれらの同期信号間に受信されている前記長周期インタリーブ処理の各並び替え単位データの復号データに対して悪い受信状態を示す識別データを対応付け、それ以外の場合には良好な受信状態を示す識別データを対応付ける識別データ付与手段と、データ記憶手段と、前記識別データ付与手段により前記識別データが対応付けられた前記長周期インタリーブ処理の各並び替え単位データを前記データ記憶手段に書き込む書き込み手段と、前記書き込み手段が前記データ記憶手段に書き込んだ復号データを、前記識別データを対応付けたまま長周期デインタリーブ方式で読み出す読み出し手段と、前記読み出し手段が読み出したデインタリーブ後のデータに対して外符号を用いた誤り訂正復号処理を行うと共に、その復号処理単位データ中の前記並び替え単位データに悪い受信状態を示す識別データが付加されている場合には、その識別データが付加された並び替え単位データを消失データとみなした消失誤り訂正を行う外符号訂正手段とを具備したことを特徴とするディジタル放送受信装置に係る。
【００３１】
この発明では、前記第１の発明が受信状態検出手段で受信状態の良否を検出して識別データを生成しているのに対し、内符号訂正手段で復号された同期信号の復号データが正常であるか否かを確認して識別データを生成するようにしている。
長周期インタリーブ処理を施した放送においても、同期信号と伝送制御信号は主信号をインタリーブした後のフレームデータの先頭に配置されるが、同期信号は常に一定の信号パターンとなる。
従って、内符号訂正手段による同期信号の復号データが正規の信号パターンであるか否かを確認すれば、その同期信号の受信時における受信状態の良否を判別できる。
また、同期信号とＴＭＣＣについては、ＢＰＳＫ等の位相数の小さい変調方式が適用され、前記フレームデータの変調方式（ＴＣ８ＰＳＫやＱＰＳＫ）よりも降雨等による受信状態の悪化に対して耐性があるため、もし同期信号に異常があれば、その受信時における前記フレームデータも悪い受信状態で受信されているとみなせる。
この発明は、それらの前提に基づいて、復号後の同期信号について異常なものが連続して検出・確認された場合に、それらの同期信号間に受信された復号データに悪い受信状態を示す識別データを対応付けるようにしており、前記フレームデータ内の全ての並べ替え単位データに同一の識別データが対応付けられることになるが、より簡易な構成によって誤り訂正能力を高めた受信装置を実現できる。
【００３２】
【発明の実施の形態】
以下、本発明のディジタル放送受信装置の実施形態を図１から図１４を用いて詳細に説明する。
以下の各実施形態に係る受信装置は、放送局側でディジタル放送情報に対して外符号による誤り訂正符号化処理［ＲＳ（２０４．１８８．１７）符号化処理］・長周期インタリーブ処理・内符号による誤り訂正符号化処理（畳み込み符号化処理）・変調処理（ＴＣ８ＰＳＫやＱＰＳＫ）を施した放送信号を受信する装置である。
［実施形態１］
先ず、図１は実施形態に係る受信装置のブロック回路図を示す。
同図において、１は受信部、２はディジタル復調部、３は内符号復号部、４はＲ／Ｗ制御部、５はＨＤＤ、６は外符号復号部、７はビデオ・オーディオデコード部であり、受信装置としての回路構成は従来技術で説明した受信装置（図２１）と同様であり、各部の基本的機能についても同様であることから、ここではそれら機能に関する説明は省略する。
また、図２１においては概念図であるために省略したが、８は内符号による復号処理を行った後の受信データストリームからＴＭＣＣを分離するセレクタ、９はセレクタ８が分離したＴＭＣＣを復号するＴＭＣＣ復号部である。
尚、放送局側において、外符号による誤り訂正符号化処理と長周期インタリーブ処理の間に、放送波のスペクトラムを均一化するためエネルギ拡散処理が介在している場合には、図１におけるＲ／Ｗ制御部４と外符号復号部６の間にエネルギ逆拡散部が挿入される。
【００３３】
この実施形態における受信装置の特徴は次のような点にある。
（１）  マイクロコンピュータ回路（以下、「マイコン回路」という）１０が設けられており、そのマイコン回路１０が受信部１から放送電波の受信レベルＶを検出して所定閾値Ｖｔｈと比較し、受信状態の良否を示す受信エラーフラグ“０”又は“１”を出力する。
（２）  Ｒ／Ｗ制御部４がセレクタ８で分離された内符号による誤り訂正後の復号データをバイト単位（長周期インタリーブ処理における並び替え単位に相当）でＨＤＤ５に書き込む際に、その各バイトデータに対してマイコン回路１０が出力している受信エラーフラグを対応付けて書き込む。
（３）  Ｒ／Ｗ制御部４は、ＨＤＤ５に書き込まれたデータを放送局側での長周期インタリーブ方式に対応したデインタリーブ方式によりバイト単位で読み出すが、その際に各バイトデータに対応付けられている受信エラーフラグも読み出して付加する。
（４）  外符号復号部６は、Ｒ／Ｗ制御部４が読み出したデータに対してその処理単位に相当するスロット単位でＲＳ符号を用いた誤り訂正を行うが、バイトデータに付加された受信エラーフラグが悪い受信状態を示す“１”であった場合には、そのバイトデータを消失データとみなした消失誤り訂正を行う。
【００３４】
以下、前記の各特徴についてフローチャートを参照しながら説明する。
先ず、マイコン回路１０はＣＰＵ１１とＲＯＭ１２とＲＡＭ１３とＩ／Ｏポート１４とタイマ１５とからなる通常のシステム構成を有している。
そして、ＲＯＭ１２には受信状態の良否を判定するための閾値Ｖｔｈ０が格納されていると共に、受信部１から得られる受信レベルと前記閾値Ｖｔｈ０とを比較して受信エラーフラグの出力を設定するためのプログラムが格納されており、そのプログラムに基づいてＣＰＵ１１が図２のフローチャートに示される手順を実行する。
即ち、受信部１の受信レベルＶが前記閾値Ｖｔｈ０より大きい場合には受信エラーフラグの出力を“０”に設定し、逆に閾値Ｖｔｈ０以下になった場合には受信エラーフラグの出力を“１”に設定する（Ｓ１〜Ｓ３）。
従って、受信エラーフラグの“０”は放送電波の受信状態が良好である場合を示し、逆に“１”は受信状態が悪い場合を示すことになる。
具体的には、図３に示すように、時間経過の中で良好な受信状態にあれば受信エラーフラグの出力が“０”に設定されたままになるが、降雨で受信レベルが低下して受信レベルが閾値Ｖｔｈ０以下になると受信エラーフラグの出力が“１”に切り換わり、天候が回復して降雨がなくなると再び“０”に戻ることになる。
【００３５】
一方、Ｒ／Ｗ制御部４にはマイコン回路１０の受信エラーフラグ出力が入力されており、Ｒ／Ｗ制御部４は図４のフローチャートに示す手順でＨＤＤ５に対するデータ書き込みを実行する。
先ず、内符号復号部３からセレクタ８を介して１バイト分のデータが入力されると、その１バイトデータをＨＤＤ５へ書き込むと共に、その１バイトデータに対してマイコン回路１０が出力している受信エラーフラグを対応させて書き込み（Ｓ１１〜Ｓ１３）、その手順を繰り返すことにより、放送された数時間から２４時間に亘る長周期インタリーブデータの全てをＨＤＤ５に書き込む（Ｓ１４→Ｓ１１〜Ｓ１４）。
従って、各バイトデータと受信エラーフラグは図５に示すような態様でＨＤＤ５に書き込まれ、降雨が始まるとその時間帯で受信された各バイトデータには除々に“１”の受信エラーフラグが対応付けられることが多くなり、降雨が本格的になると受信エラーフラグ“１”が連続し、降雨の終了時には開始時と同様の傾向となる。
尚、図５においてＢ１〜Ｂｎは１フレーム分のバイトデータを示し、同図では各フレームについて便宜上同一の表現を行っているが、当然にフレーム毎にデータの内容は異なっている。
また、同期信号とＴＭＣＣは、ＨＤＤ５に書き込まれる際には各バイトデータとは別の領域に書き込まれる。
【００３６】
次に、Ｒ／Ｗ制御部４は、長周期インタリーブデータの全てをＨＤＤ５に書き込んだ後、そのインタリーブ方式に対応するデインタリーブ方式で書き込まれたデータを１バイト単位で外符号復号部６へ読み出し、外符号復号部６でＲＳ符号を用いた誤り訂正復号処理が実行されることになるが、その手順は図６のフローチャートに示される。
先ず、Ｒ／Ｗ制御部４は、１バイト単位でデータを読み出す際に、ＨＤＤ５において各バイトデータに対応付けられている受信エラーフラグをバイトデータに付加して外符号復号部６へ転送する（Ｓ２１）。
前記読み出しによってデインタリーブされた後の１フレーム分のデータが外符号復号部６へ転送されると（Ｓ２２）、外符号復号部６はスロット単位でＲＳ符号を用いた誤り訂正処理を実行する（Ｓ２３，Ｓ２４）。
そして、そのスロット（２０３バイト）を構成する各バイトデータに対応した受信エラーフラグに“１”のものがあるか否かを確認し、それが存在していればそのバイトデータを消失データとみなした消失誤り訂正を行う（Ｓ２４）。
以降、前記のステップＳ２４，Ｓ２５，Ｓ２６の誤り訂正手順は１フレーム（４８スロット分）について繰り返し実行され（Ｓ２５→Ｓ２６→Ｓ２４，Ｓ２５）、更にＲ／Ｗ制御部４から１フレーム分のデータが転送される度に前記手順でそのフレームの各スロットに係る誤り訂正を繰り返し、それらの手順を最終的に番組再生が終了するまで実行する（Ｓ２７→Ｓ２１〜Ｓ２７）。
尚、外符号復号部６によって復号された各フレームデータは順次ビデオ・オーディオデコード部７でデコードされて再生される。
【００３７】
ところで、ＲＳ（２０４．１８８．１７）符号の場合、誤り位置が不明のエラー数をＡ、エラー位置が確認されているエラー数をＢとすると、消失誤り訂正を併用したときの訂正可能数は２Ａ＋Ｂ≦１６となり、１６バイトまでの訂正が可能になる。
一方、消失誤り訂正を併用しないときには２Ａ≦１６となり、８バイトまでの訂正しかできない。
従って、この実施形態によれば、降雨時間帯の悪い受信状態で受信されたバイトデータを含むスロットについて消失誤り訂正を併用した２倍の訂正能力（１６バイト訂正）を持たせることができ、長周期のインタリーブとデインタリーブによってデータ誤りが分散されていることと併せて、悪天候下であってもデータ誤りの少ないより安定した放送コンテンツの視聴が可能になる。
換言すれば、受信データには降雨によるデータ誤りだけでなく他の原因でランダムに発生する誤りもあるが、仮にデータ誤りが降雨だけによるものとすると、降雨に対する耐性時間を２倍にしたディジタル放送受信装置を実現できることになる。
【００３８】
［実施形態２］
前記のように、受信レベルは放送信号の降雨減衰によって大きく低下するが、その他の各種原因によって瞬間的に低下する現象がランダムに発生することがある。
前記の実施形態１の受信装置によれば、そのような瞬間的な受信レベルの低下に対してもマイコン回路１０が受信エラーフラグを“１”に設定して出力するため、必然的に外符号復号部６では受信バイトデータを消失データとみなして消失誤り訂正を併用する機会が多くなる。
しかし、ＲＳ（２０４．１８８．１７）符号の場合には、２０３バイト中で１６バイト分までのデータ誤りに対しては消失誤り訂正を行えるが、消失データが１７バイト分以上になるとそのスロットを訂正不能とみなしてしまうため、受信エラーフラグ“１”が多くなると逆に訂正不能となる回数を増大させる。
【００３９】
そして、瞬間的な受信レベルの低下の場合には、その際の全ての受信バイトデータにエラーが発生しているとは限らず、実際には正常なデータが受信できている場合も多い。
一方、降雨開始時においても、前記と同様に瞬間的な受信レベルの低下が発生するが、それは後続する本格的な降雨の前兆であり、徐々に大きなレベル低下になってゆくことから、その期間についてはエラーが発生しているとみなしておく方が降雨期間における受信データの復号精度を担保する上で有効といえる。
この実施形態は、降雨以外の原因で瞬間的に発生するランダムな受信レベルの低下に対しては消失データとみなさないようにし、消失データ数が過剰になって外符号復号部６での訂正不能が多発することを抑制することを目的とする。
【００４０】
この実施形態の特徴は、受信装置の回路構成は図１に示したものと同様であるが、マイコン回路１０が受信エラーフラグの設定を制御しながらＲ／Ｗ制御部４の書き込みアドレスデータをセーブし、また、Ｒ／Ｗ制御部４が、内符号復号処理がなされた長周期インタリーブデータを書き込んだ後に、マイコン回路１０がセーブしたアドレスデータを用いて受信エラーフラグの書き換えを実行する点にある。
【００４１】
マイコン回路１０は、受信レベルＶに関する２つの閾値Ｖｔｈ１，Ｖｔｈ２（但し、Ｖｔｈ１＞Ｖｔｈ２）と受信レベルＶが前記閾値Ｖｔｈ２以下の状態に関する時間閾値Ｔｔｈを固定データとして格納していると共に、受信エラーフラグの設定とアドレスデータのセーブに係るプログラムをＲＯＭ１２に格納しており、そのプログラムに基づいてＣＰＵ１１が図７のフローチャートに示す手順を実行する。
但し、前記の各閾値の内、第１閾値Ｖｔｈ１は受信状態の良否を判別する本来の閾値であり、第２閾値Ｖｔｈ２は受信時にランダムに発生する瞬間的な減衰の下限に相当するレベル値である。
【００４２】
先ず、実施形態１の場合と同様に、マイコン回路１０は受信部１から放送電波の受信レベルＶを検出しており、その受信レベルＶが第１閾値Ｖｔｈ１より大きい場合には受信エラーフラグの出力を“０”に設定する（Ｓ３１，Ｓ３２）。
また、受信レベルＶが第１閾値Ｖｔｈ１以下になっても、それが第２閾値Ｖｔｈ２より大きい場合には受信エラーフラグの出力を“０”に設定したままにする。
但し、その場合には、マイコン回路１０がＲ／Ｗ制御部４からその時点での書き込みアドレスデータＡｓ（バイトデータの書き込みアドレス）を検出し、そのアドレスデータＡｓをＲＡＭ１３にセーブする（Ｓ３１，Ｓ３３）。
【００４３】
そして、受信レベルＶが回復して第１閾値Ｖｔｈ１より大きくなるとＲＡＭ１３にセーブしたアドレスデータをクリアした後、再び第１閾値Ｖｔｈ１以下になるか否かを監視するが（Ｓ３４，Ｓ３５→Ｓ３２，Ｓ３１）、受信状態が更に悪化して受信レベルＶが第２閾値Ｖｔｈ２以下になると、タイマ１５をセットすると共に、受信エラーフラグの出力を“１”に切り換える（Ｓ３４，Ｓ３６，Ｓ３７）。
また、受信レベルＶが第２閾値Ｖｔｈ２以下になった時点では、前記と同様にＲ／Ｗ制御部４側から書き込みアドレスデータＡｅを検出し、そのアドレスデータＡｅをＲＡＭ１３にセーブする（Ｓ３８）。
【００４４】
次に、前記にセットしたタイマ１５のカウント値Ｔｃが時間閾値Ｔｔｈ以上になるか否かを監視し、Ｖ≦Ｖｔｈ２の状態が継続したままで時間閾値Ｔｔｈ以上になると、タイマ１５をリセットした後、受信レベルＶが第１閾値Ｖｔｈ１より大きくなるか否かを監視し続ける（Ｓ３９〜Ｓ４１，Ｓ４２）。
尚、時間閾値Ｔｔｈとしては、受信状態が瞬間的に悪化する時間と降雨による受信状態の悪化時間とを区別できればよく、経験的に数十秒から数分程度の値を設定しておけば足りる。
この場合、受信レベルＶがＶｔｈ２＜Ｖ≦Ｖｔｈ１となっても受信エラーフラグの出力を“１”に保持し、第１閾値Ｖｔｈ１より大きくなった段階で“０”に切り換える（Ｓ４１→Ｓ３２）。
また、ＲＡＭ１３にセーブした各アドレスデータＡｓ，Ａｅはそのまま保持させる。
【００４５】
一方、タイマ１５のカウント値Ｔｃが時間閾値Ｔｔｈに達する前に受信レベルＶが第２閾値Ｖｔｈ２より大きくなった場合には、タイマ１５をリセットすると共に、ＲＡＭ１３にセーブした各アドレスデータＡｓ，Ａｅをクリアする（Ｓ４２，Ｓ４３）。
また、この場合には、受信エラーフラグを“０”に切り換えた後、前記のステップＳ３３に戻ってその時点のＲ／Ｗ制御部４の書き込みアドレスデータＡｓをＲＡＭ１３にセーブする（Ｓ４４→Ｓ３３）。
【００４６】
そして、マイコン回路１０による以上の手順に基づけば、例えば、図８で示すように受信レベルＶが変化した場合、時刻ｔ１〜ｔ２の期間Ｔ１１は降雨開始時の状態であり、受信レベルＶは第１閾値Ｖｔｈ１と第２閾値Ｖｔｈ２の間へ瞬間的に低下するが、その期間Ｔ１１では受信エラーフラグ“０”に設定されている。
但し、時刻ｔ１においてＶ≦Ｖｔｈ１となったことにより、その時点におけるＲ／Ｗ制御部４の書き込みアドレスデータＡｓがＲＡＭ１３にセーブされる。
その後、受信レベルＶは期間Ｔ１１が経過した時刻ｔ２で第２閾値Ｖｔｈ２以下になるが、その時点で受信エラーフラグが“１”に設定されると共に、タイマ１５がセットされ、更にＲ／Ｗ制御部４の書き込みアドレスデータＡｅがＲＡＭ１３にセーブされる。
ここで、タイマ１５のカウント値Ｔｃが監視され、そのカウント値Ｔｃが時間閾値Ｔｔｈ以上になるとＲＡＭ１３のアドレスデータＡｓ，Ａｅはそのまま保持される。
一方、前記カウント値Ｔｃが時間閾値Ｔｔｈに達するまでに受信レベルＶが第２閾値Ｖｔｈ２より大きくなると、ＲＡＭ１３のアドレスデータＡｓ，Ａｅがクリアされる。
尚、天候の回復過程で、受信レベルＶが時刻ｔ２’で第２閾値Ｖｔｈ２以上になっても受信エラーフラグは“１”に保たれ、受信レベルＶが第１閾値Ｖｔｈ１より大きくなった段階で“０”に切り換えられる。
【００４７】
従って、マイコン回路１０による受信エラーフラグＶの出力は図８における「受信時のエラーフラグ」として示されるような変化となり、降雨開始時の期間（Ｔ１１）はその時点では降雨による減衰か瞬間的な減衰かが不明であるが、とりあえず受信エラーフラグは“０”に設定されている。
そして、その判断はタイマ１５のカウント値Ｔｃが時間閾値Ｔｔｈを超えるか否かによって行うこととし、その結果に基づいてＲＡＭ１３にアドレスデータＡｓ，Ａｅを残すか否かの処理を行っている。
【００４８】
次に、この実施形態におけるＲ／Ｗ制御部４と外符号復号部６の動作手順を図９のフローチャートを参照しながら説明する。
先ず、Ｒ／Ｗ制御部４が内符号復号部３からセレクタ８を介して１バイト分のデータが入力されると、その１バイトデータにマイコン回路１０が出力している受信エラーフラグを対応付けてＨＤＤ５へ書き込み（Ｓ５１〜Ｓ５３）、その手順を繰り返すことにより、数時間から２４時間に亘って放送された長周期インタリーブデータの全てをＨＤＤ５に書き込むことは、実施形態１の場合（図４）と同様である（Ｓ５４→Ｓ５１〜Ｓ５３，Ｓ５４）。
【００４９】
ここで、実施形態１の場合には、ＨＤＤ５に全データが書き込まれた後、Ｒ／Ｗ制御部４がそのまま長周期デインタリーブ方式でバイトデータを読み出すことになるが、この実施形態では、読み出し動作へ移行する前にＲ／Ｗ制御部４がマイコン回路１０へアドレスデータの転送要求を行い（Ｓ５５）、マイコン回路１０からＲＡＭ１３にセーブされているアドレスデータの転送があるか否かを確認する（Ｓ５６）。
前記のように、マイコン回路１０は、受信レベルＶが第２閾値Ｖｔｈ２以下になった時点からの時間が時間閾値Ｔｔｈを超えている場合には、その前に受信レベルＶが第１閾値Ｖｔｈ１以下及び第２閾値Ｖｔｈ２以下になった際のＲ／Ｗ制御部４によるＨＤＤ５に対する書き込みアドレスデータＡｓ及びＡｅをセーブしている。
従って、Ｒ／Ｗ制御部４からの前記転送要求に基づいて、マイコン回路１０は、ＲＡＭ１３にアドレスデータＡｓ，Ａｅがセーブされていれば、それらのデータをＲ／Ｗ制御部４へ転送する。
【００５０】
そして、Ｒ／Ｗ制御部４は、アドレスデータＡｓ，Ａｅの転送があれば、アドレスＡｓからアドレスＡｅまでのバイトデータに対応付けられている受信エラーフラグ“０”を“１”に書き換える（Ｓ５７）。
即ち、マイコン回路１０がアドレスデータＡｓ，Ａｅを保持していることは、それらのアドレスＡｓ，Ａｅの間で特定されるバイトデータは瞬間的な受信状態の悪化によるものではなく、降雨開始期間に受信されたデータであるため、その期間に仮に設定されていた受信エラーフラグ“０”を“１”に変更する。
前記の具体的事例である図８でみれば、「受信時のエラーフラグ」では期間Ｔ１１で“０”となっていたものが、「書き換え後のエラーフラグ」のように“１”に変更されることになる。
【００５１】
次に、前記の書き換えが完了すると、実施形態１の場合（図６）と同様に、Ｒ／Ｗ制御部４はデインタリーブ方式で各バイトデータをＨＤＤ５から外符号復号部６へ読み出し、外符号復号部６がスロット単位で誤り訂正を実行し、１フレーム単位の復号データをビデオ・オーディオデコーダ部７へ出力する（Ｓ５８）。
また、その復号に際して、ＲＳ符号を用いた誤り訂正はスロット単位で実行されるが、スロット中に受信エラーフラグ“１”が対応付けられたバイトデータがある場合には、そのバイトデータを消失データとみなした消失誤り訂正を行うことは実施形態１の場合と同様である。
従って、この実施形態では降雨開始時の期間に受信されたバイトデータについても消失誤り訂正の対象となる。
換言すれば、受信レベルが降雨以外の要因によってランダムに減衰しても、それが瞬間的なものであれば、その時に受信されたバイトデータに対応付けられている受信エラーフラグが“０”のままであるため、消失データが過剰になって外符号復号部６において訂正不能状態が多発してしまうことを防止できる。
【００５２】
［実施形態３］
この実施形態は、複数の番組が異なる変調方式で伝送される放送信号（階層化伝送による放送信号）に対応する受信装置の構成に関する。
先ず、図１０は階層化伝送による放送データの長周期インタリーブを行う前の構成を示し、この場合は異なる変調方式Ａ（ＴＣ８ＰＫＳ），Ｂ（ＱＰＫＳ）で送信される２つの番組ａ，ｂのデータからなる。
放送局側では、同図のように各番組のフレームデータを混在させた状態で、並び替え単位をバイトデータとする長周期インタリーブを行い、そのインタリーブ後のデータに内符号復号処理を施して送信する。
また、インタリーブを行う際には伝送制御信号である同期信号とＴＭＣＣは予め分離しておき、インタリーブされた後に構成されるフレームの先頭に１バイト分ずつ配置して送信される。
尚、ＴＭＣＣにはトランスポート・ストリームがどのスロットに格納されているかを示す位置情報とその変調方式情報が記述されている。
【００５３】
この実施形態においても受信装置の基本的構成は図１に示したものと同様である。
この実施形態の特徴は、マイコン回路１０が、受信レベルを４段階の受信状態に区分して、それぞれの状態に異なる受信エラーフラグの出力を設定し、また、Ｒ／Ｗ制御部４が、各バイトデータを書き込む際に前記受信エラーフラグを対応付けると共に、全てのインタリーブデータを書き込んだ後に、ＴＭＣＣに基づいて各バイトデータの変調方式を確認して受信エラーフラグの書き換えを実行する点にある。
【００５４】
先ず、マイコン回路１０は、ＲＯＭ１２に前記の受信レベルについての閾値Ｖｔｈ１，Ｖｔｈ２，Ｖｔｈ３（但し、Ｖｔｈ１＞Ｖｔｈ２＞Ｖｔｈ３）を固定データとして格納していると共に、それら閾値Ｖｔｈ１，Ｖｔｈ２，Ｖｔｈ３によって区分される４段階の受信状態に対応して異なる受信エラーフラグ“００”，“０１”，“１０”，“１１”を出力させるためのプログラムを格納している。
そして、図１１のフローチャートに示すように、受信部１の受信レベルＶを検出しながら、受信エラーフラグをＶ＞Ｖｔｈ１の状態では“００”に、Ｖｔｈ２＜Ｖ≦Ｖｔｈ１の状態では“０１”に、Ｖｔｈ３＜Ｖ≦Ｖｔｈ２の状態では“１０”、Ｖ≦Ｖｔｈ３の状態では“１１”にそれぞれ設定する（Ｓ６１〜Ｓ６８）。
従って、図１２に示すように、降雨の時間帯が存在して受信レベルＶが変化した場合には、受信レベルＶが各閾値Ｖｔｈ１，Ｖｔｈ２，Ｖｔｈ３をクロスして変化する時点ｔ１，ｔ２，ｔ３，ｔ３’，ｔ２’，ｔ１’で受信エラーフラグが切り換わり、「受信時のエラーフラグ」は時系列的に“００”→“０１”→“１０”→“１１”→“１０”→“０１”→“００”と変化する。
【００５５】
次に、この実施形態におけるＲ／Ｗ制御部４と外符号復号部６の動作手順について図１３を参照しながら説明する。
先ず、Ｒ／Ｗ制御部４は、前記の実施形態１及び２と同様に、内符号復号部３からセレクタ８を介して１バイト分のデータが入力されると、その１バイトデータにマイコン回路１０が出力している受信エラーフラグを対応付けてＨＤＤ５へ書き込み（Ｓ７１〜Ｓ７３）、その手順を繰り返すことにより、数時間から２４時間に亘って放送された長周期インタリーブデータの全てをＨＤＤ５に書き込む（Ｓ７４→Ｓ７１〜Ｓ７３，Ｓ７４）。
【００５６】
次に、Ｒ／Ｗ制御部４は、ＨＤＤ５に書き込んだデータについて１バイトデータ単位で対応付けられた受信エラーフラグを抽出し、ＴＭＣＣの情報を参照してそのバイトデータの変調方式を確認する（Ｓ７７）。
ここで、ＴＭＣＣと同期信号は、図１に示すように、内符号復号部３が復号した受信スロットデータからセレクタ８によって分離され、ＴＭＣＣ復号部９で別途復号された後、Ｒ／Ｗ制御部４によってＨＤＤ５における長周期インタリーブデータの書き込み領域とは別の領域に書き込まれている。
従って、Ｒ／Ｗ制御部４は、ＨＤＤ５に格納したＴＭＣＣ情報を参照することにより、前記インタリーブ後の並び替え単位である各バイトデータの位置情報（ＨＤＤ５でのアドレス情報）とその変調方式を確認できる。
【００５７】
そして、Ｒ／Ｗ制御部４は、バイトデータについて変調方式がＡ（ＴＣ８ＰＳＫ）であることが確認された場合には、そのバイトデータに対応する受信エラーフラグを次の規則（１）に基づいて書き換える（Ｓ７７，Ｓ７８）。
規則（１）；“００”→“０”，“０１”→“１”“１０”→“１”，“１１”→“１”
また、変調方式がＢ（ＱＰＳＫ）であることが確認された場合には、次の規則（２）に基づいて受信エラーフラグの書き換えを行う（Ｓ７７，Ｓ７９）。
規則（２）；“００”→“０”，“０１”→“０”“１０”→“１”，“１１”→“１”
【００５８】
更に、前記のステップＳ７５〜Ｓ７９による１バイトデータ毎の受信エラーフラグの書き換え処理は、ＨＤＤ５に書き込まれた全ての長周期インタリーブデータについて実行される（Ｓ８０→Ｓ７５〜Ｓ７９，Ｓ８０）。
その結果、降雨に対する耐性が弱い変調方式Ａ（ＴＣ８ＰＳＫ）のバイトデータに対しては受信エラーフラグ“１”を広く適用し、逆に前記耐性が強い変調方式Ｂ（ＱＰＳＫ）のバイトデータには受信エラーフラグ“１”を狭く適用することになり、変調方式に適応した受信エラーフラグの書き換えが行える。
【００５９】
受信エラーフラグの書き換え処理が完了すると、実施形態１の場合（図６）と同様に、Ｒ／Ｗ制御部４が長周期デインタリーブ方式で各バイトデータをＨＤＤ５から外符号復号部６へ読み出し、外符号復号部６がスロット単位で復号を行ってビデオ・オーディオデコーダ部７へ出力するが、デインタリーブによる並び替え後の各放送番組の各バイトデータにはその放送番組の変調方式に適応した受信エラーフラグが付加されるため、実施形態１のように一律な条件で受信エラーフラグを対応付けた場合と比較して、外符号復号部６においてバイトデータを消失データとみなす個数を適正な条件で減じることができ、消失データの過剰によって訂正不能と判断されてしまうことを防止できる。
【００６０】
［実施形態４］
この実施形態は、前記実施形態３の場合と同様に、マイコン回路１０が、受信レベルを４段階の受信状態に区分して、それぞれの状態に異なる受信エラーフラグの出力を設定し、また、Ｒ／Ｗ制御部４が各バイトデータをＨＤＤ５に書き込む際に前記受信エラーフラグを対応付けるが、外符号復号部６がスロット単位で誤り訂正処理を実行する場合に、訂正不能が発生しても適応的に受信エラーフラグの付け替え変更を行いながら誤り訂正を再実行し、外符号を用いた誤り訂正の限界によって復号不能になる状態を可能な限り回避させるものである。
従って、マイコン回路１０による受信エラーフラグの出力設定手順とＲ／Ｗ制御部４によるデータと受信エラーフラグの書き込み手順は、実施形態３の図１１及び図１３のステップＳ７１〜Ｓ７４で説明した手順と同様であり、ここではそれら手順に係る説明を省略する。
【００６１】
この実施形態の特徴は、図１４のフローチャートに示す外符号復号部６による誤り訂正手順にあり、以下、順を追って説明する。
まず、Ｒ／Ｗ制御部４が長周期デインタリーブ方式でバイトデータを外符号復号部６へ読み出し、その際に各バイトデータに対応付けられている受信エラーフラグ（“００”／“０１”／“１０”／“１１”）をそのまま付加して読み出す（Ｓ９１）。即ち、この実施形態ではＨＤＤ５上で受信エラーフラグの書き換えは行わず、そのまま４種類のフラグが付加されることになる。
そして、外符号復号部６は、１フレーム分（４８スロット）のデータが転送されると、その各スロット（２０３バイト）について外符号を用いた誤り訂正処理を行うが、先ず、そのスロット中の各バイトデータに付加されている受信エラーフラグを次の規則▲１▼で変更した上で誤り訂正処理を実行する（Ｓ９２，Ｓ９３，Ｓ９４）。
規則▲１▼；“００”→“０”，“０１”→“０”“１０”→“１”，“１１”→“１”
即ち、４段階の受信状態を示す受信エラーフラグにおける良好な方の２種類を“０”に変更し、悪い方の２種類を“１”に変更した上で誤り訂正を実行する。この誤り訂正において、変更後の受信エラーフラグ“１”が対応しているバイトデータが存在する場合にそのバイトデータを消失データとみなした消失誤り訂正を実行することは上記の各実施形態と同様である。
【００６２】
前記の規則▲１▼による受信エラーフラグの変更状態で訂正が可能であれば次のスロットの処理へ移行するが（Ｓ９５→Ｓ１０１，Ｓ１０２→Ｓ９４）、訂正不能であれば最初の受信エラーフラグを次の規則▲２▼で変更した上で誤り訂正処理を再実行する（Ｓ９５→Ｓ９６）。
規則▲２▼；“００”→“０”，“０１”→“１”“１０”→“１”，“１１”→“１”
即ち、受信状態が比較的悪かったと想定して受信エラーフラグ“１”の適用範囲を１ランク上げることとし、その適用条件で訂正が可能か否かを試してみることになる。
【００６３】
そして、前記の規則▲２▼による受信エラーフラグの変更状態で訂正が可能であれば次のスロットの処理へ移行するが（Ｓ９７→Ｓ１０１，Ｓ１０２→Ｓ９４）、訂正不能であれば、更に最初の受信エラーフラグを次の規則▲３▼で変更した上で誤り訂正処理を再実行する（Ｓ９７→Ｓ９８）。
この規則▲３▼に基づく変更条件での再実行は、前記規則▲２▼の場合と逆の受信状態を想定して受信エラーフラグ“１”の適用範囲を１ランク下げるものであると共に、前記の規則▲１▼，▲２▼の適用では消失データとみなされるバイトデータの数が消失誤り訂正の可能範囲を超えている場合についての救済の可能性を試すものでもある。
即ち、上記のようにＲＳ符号（２０４．１８８．１７）を用いた外符号訂正では、消失データが１７バイト分以上になるとそのスロットを訂正不能とみなしてしまうため、受信エラーフラグ“１”の適用範囲を狭くして誤り訂正が可能になるか否かを試している。
【００６４】
前記の規則▲３▼の適用によって訂正が可能であれば次のスロットの処理へ移行するが（Ｓ９９→Ｓ１０１，Ｓ１０２→Ｓ９４）、それでも訂正不能であった場合にはそのスロットに関しては復号不能処理として確定させて次のスロットの処理へ移行する（Ｓ１００  Ｓ１０１，Ｓ１０２→Ｓ９４）。
そして、以上の手順は１フレーム分について繰り返し実行され、そのフレームの処理が終了すると次のフレームの転送を受けて同様の手順が実行される（Ｓ１０１→Ｓ１０２→Ｓ９４〜Ｓ１００，Ｓ１０１）。
また、ステップＳ９１〜Ｓ１０１の手順はＨＤＤ５の全データを復号するまで繰り返し実行され、復号された元の時系列の放送データがビデオ・オーディオデコード部７でデコードされて出力されることになる。
【００６５】
［実施形態５］
この実施形態に係る受信装置のブロック回路図は図１５に示される。
同図と図１とを比較すれば明らかなように、この実施形態の受信装置には図１の構成のように受信部１から受信レベルを検出して受信エラーフラグを出力するマイコン回路１０は設けられておらず、内符号復号部３とセレクタ８の間に識別データ付与部２１が設けられている。
この識別データ付与部２１はハードウエア又はマイコン回路で構成されるが、いずれの構成であっても放送信号に含まれている同期信号の復号後の符号パターンを固定データとして格納していると共に、１フレーム遅延を行うためのバッファメモリを内蔵している。
【００６６】
この受信装置では、先ず、受信部１で受信された放送信号はディジタル復調部２２で復調された後に内符号復号部３で復号され、その復号データが識別データ付与部２１へ入力される。
その場合、図５に示したように、放送信号には同期信号とＴＭＣＣ信号がインタリーブされたバイトデータによって構成された１フレーム相当分のデータＢ０〜Ｂｎの先頭に配置されて送信されている。
但し、伝送制御信号である同期信号とＴＭＣＣはＢＰＳＫ変調方式により、また主信号に相当するデータ部分はＴＣ８ＰＳＫやＱＰＳＫの変調方式により変調されている。
【００６７】
そして、識別データ付与部２１は放送信号の復号データに対して各バイトデータ毎に受信状態の良否を示す受信エラーフラグを対応付ける機能を有しているが、その動作手順は図１７のフローチャートに示される。
先ず、前記フレームに係る同期信号とＴＭＣＣ信号の復号データが入力されると、同期信号の復号データと予め格納させてある前記固定符号パターンとを比較し、一致するか否かによって同期信号が正常に受信されているかどうかを確認する（Ｓ１１１〜Ｓ１１４）。
【００６８】
ここで、一致している場合には同期信号が正常であるとみなせるため、その同期信号に後続して入力される１フレーム相当分の各バイトデータＢ０〜Ｂｎに対して受信エラーフラグ“０”を対応付けて出力させ、次に入力されてくる同期信号の復号データについて前記の確認を行う（Ｓ１４４→Ｓ１１５，Ｓ１１６→Ｓ１１２）。
従って、一定の間隔で検出される同期信号の復号データが固定符号パターンと一致していれば、その同期信号の復号データに後続する１レーム分の各バイトデータＢ０〜Ｂｎに全て受信エラーフラグ“０”を対応付けてセレクタ８へ出力する動作を繰り返すことになる。
【００６９】
一方、同期信号の復号データと固定符号パターンとが一致しなかった場合には、同期信号が正常に受信されていないとみなし、その同期信号の復号データに後続する１フレーム相当分の各バイトデータＢ０〜Ｂｎを一旦バッファメモリにセーブする（Ｓ１４４→Ｓ１１７）。
そして、次のフレームに係る同期信号とＴＭＣＣ信号の復号データが入力されると、前記と同様の手順で同期信号の復号データと固定符号パターンが一致するか否かを確認する（Ｓ１１８〜Ｓ１２０）。
【００７０】
ここで、一致していれば、先の同期信号に係る異常受信が降雨以外のランダムな要因で受信レベルが瞬間的に低下したものであるとみなし、バッファメモリにセーブした各バイトデータＢ０〜Ｂｎに全て受信エラーフラグ“０”を対応付けてセレクタ８へ出力すると共に、今回の受信フレームデータに係る復号後の各バイトデータＢ０〜Ｂｎにも全て受信エラーフラグ“０”を対応付けてセレクタ８へ出力した後、更に次に入力されてくる同期信号の復号データについて前記の確認を行うことになる（Ｓ１２０→Ｓ１２１〜Ｓ１２３→Ｓ１１２）。
【００７１】
一方、一致していない場合には連続して同期信号が正常に受信できなかったことになり、この場合にはバッファメモリにセーブした各バイトデータＢ０〜Ｂｎに全て受信エラーフラグ“１”を対応付けてセレクタ８へ出力し、更に今回の同期信号の復号データに後続して入力される１フレーム相当分の各バイトデータＢ０〜Ｂｎを新たにバッファメモリにセーブさせた後、次に入力されてくる同期信号の復号データについて前記の確認を行う（Ｓ１２０→Ｓ１２４〜Ｓ１２６→Ｓ１１８）。
即ち、同期信号は前記のようにＢＰＳＫ変調方式で変調されており、位相数が小さいことから受信レベルの低下に対しても耐性が大きい筈であるが、その異常受信が連続して発生したことは少なくとも前記のような瞬間的な受信レベルの低下によるものとはみなし難く、降雨によるものである可能性が高いことから復号後の各バイトデータに対して受信エラーフラグ“１”を対応付けることとしている。
【００７２】
識別データ付与部２１は以上の動作によって内符号復号部３が復号したデータに対して受信エラーフラグ“０”又は“１”を対応付けてゆくが、具体的には、図１６に示すように、同期信号の異常が連続した場合にはその間の受信フレームデータに対して一括して“１”の受信エラーフラグが対応付けられることになる。
【００７３】
そして、識別データ付与部２１が出力するデータはセレクタ８によって同期信号・ＴＭＣＣの復号データと受信フレームデータの復号データとに分離され、Ｒ／Ｗ制御部４がそれらをＨＤＤ５に書き込んでゆくことになるが、前記受信エラーフラグはそのまま受信フレームデータの各バイトデータＢ０〜Ｂｎに対応付けられており、また、Ｒ／Ｗ制御部４がＨＤＤ５から長周期デインタリーブ方式で各バイトデータＢ０〜Ｂｎを読み出す際にも、前記受信エラーフラグは各バイトデータＢ０〜Ｂｎにそのまま対応付けた状態で読み出される。
【００７４】
以降、ＨＤＤ５から読み出されたデータに対して外符号復号部６がＲＳ符号を用いた誤り訂正復号処理を行うが、その手順は実施形態１の図６で説明したものと同様であり、デインタリーブ後に各スロット（２０３バイト）を構成する各バイトデータに対応する受信エラーフラグに“１”のものがあるか否かを確認し、それが存在していればそのバイトデータを消失データとみなした消失誤り訂正を行う。
【００７５】
尚、上記の各実施形態では外符号をＲＳ符号（２０４．１８８．１７）としたが、これに限定されるものではなく、更に訂正能力を高めてパリティ数を３２バイトとしたＲＳ符号（２２０．１８８．３３）やパリティ数を６４バイトとしたＲＳ符号（２５２．１８８．６５）の場合にもその原理が適用でき、同様の効果が得られることは当然である。
【００７６】
【発明の効果】
本発明のディジタル放送受信装置は、以上の構成を有していることにより、次のような効果を奏する。
請求項１の発明は、衛星放送分野で注目されている長周期インタリーブ放送システムにおいて、長時間に亘る降雨減衰によって伝送誤りが多くなっても、外符号復号手段が悪い受信状態の時間帯に受信したデータを消失データとみなした消失誤り訂正を実行するようにし、誤り訂正能力を高めて放送の正常な視聴を可能にする。
請求項２の発明は、請求項１の発明において、降雨による受信レベルの減衰と他の要因でランダムに発生する受信レベルの減衰とを区別し、後者の減衰時の受信データを消失データとみなさないようにして、過剰な消失データの発生により外符号復号手段で訂正不能が多発してしまうことを防止する。
請求項３の発明は、複数の番組を異なる変調方式で伝送する放送信号に対応する受信装置の場合に、変調方式に応じて消失データとみなすレベルを合理的に設定し、一律に判定する場合よりも消失データの発生数を減じて、前記請求項２の場合と同様に外符号復号手段で訂正不能が多発することを防止する。
請求項４の発明は、外符号復号手段において訂正不能が発生した時に、外符号復号手段が自律的に一定の基準で消失データとみなす範囲を拡縮して誤り訂正処理を再実行するようにし、可能な限り訂正不能となるデータを少なくする。
請求項５の発明は、固定符号パターンであって、且つ位相数の小さい変調方式で伝送される同期信号を利用し、それが正常に受信されているか否かを判定条件として受信状態の良否を示す識別データを内符号復号後の復号データに対応付けることとしており、より簡易な構成の受信装置によって請求項１の発明と同様の効果を実現する。
【図面の簡単な説明】
【図１】本発明の実施形態に係るディジタル放送受信装置のブロック回路図である。
【図２】実施形態１におけるマイコン回路の動作手順を示すフローチャートである。
【図３】実施形態１における受信レベルの変化と受信エラーフラグの対応関係を示すグラフである。
【図４】実施形態１におけるＲ／Ｗ制御部の動作手順（書き込み時）を示すフローチャートである。
【図５】実施形態１においてＨＤＤに書き込まれた受信データ（受信時系列のバイトデータ）と受信エラーフラグとの対応付け関係を示す図である。
【図６】実施形態１におけるＲ／Ｗ制御部と外符号復号部の動作手順（読み出し復号時）を示すフローチャートである。
【図７】実施形態２におけるマイコン回路の動作手順を示すフローチャートである。
【図８】実施形態２における受信レベルの変化と受信時の受信エラーフラグと書き換え後の受信エラーフラグの対応関係を示すグラフである。
【図９】実施形態２におけるＲ／Ｗ制御部と外符号復号部の動作手順（読み出し復号時）を示すフローチャートである。
【図１０】階層化伝送による放送データの長周期インタリーブを行う前の構成を示す図である。
【図１１】実施形態３におけるマイコン回路の動作手順を示すフローチャートである。
【図１２】実施形態３における受信レベルの変化と受信エラーフラグの対応関係を示すグラフである。
【図１３】実施形態３におけるＲ／Ｗ制御部と外符号復号部の動作手順（読み出し復号時）を示すフローチャートである。
【図１４】実施形態４におけるＲ／Ｗ制御部と外符号復号部の動作手順（読み出し復号時）を示すフローチャートである。
【図１５】実施形態５に係るディジタル放送受信装置のブロック回路図である。
【図１６】実施形態５において識別データ付与部が同期信号の正常／異常を確認して受信データ（受信時系列のバイトデータ）に対して受信エラーフラグを対応付けた状態を示す図である。
【図１７】実施形態５における識別データ付与部の動作手順を示すフローチャートである。
【図１８】ＢＳディジタル放送の放送データに係るフレーム構成を示す図である。
【図１９】ＢＳディジタル放送におけるインタリーブ処理の概念説明図である。
【図２０】放送データに長周期インタリーブを施した場合における降雨減衰の影響と誤り訂正の関係を示す概念図である。
【図２１】長周期インタリーブ放送システムに適用される送信装置と受信装置のブロック回路図である。
【図２２】長周期インタリーブ処理の概念説明図である。
【符号の説明】
１…受信部、２…ディジタル復調部、３…内符号復号部、４，５３…Ｒ／Ｗ制御部、５，５４…ＨＤＤ、６…外符号復号部、７…ビデオ・オーディオデコード部、８…セレクタ、９…ＴＭＣＣ復号部、１０…マイコン回路、１１…ＣＰＵ、１２…ＲＯＭ、１３…ＲＡＭ、１４…Ｉ／Ｏポート、１５…タイマ、２１…識別データ付与部、５０…送信装置、５１…ビデオ・オーディオエンコーダ部、５２…外符号符号化部、５５…内符号符号化部、５６…ディジタル変調部、５７…送信部、６０…受信装置、７０…放送衛星。
【図１】
2005012480.tif 000003
【図２】
2005012480.tif 000004
【図３】
2005012480.tif 000005
【図４】
2005012480.tif 000006
【図５】
2005012480.tif 000007
【図６】
2005012480.tif 000008
【図７】
2005012480.tif 000009
【図８】
2005012480.tif 000010
【図９】
2005012480.tif 000011
【図１０】
2005012480.tif 000012
【図１１】
2005012480.tif 000013
【図１２】
2005012480.tif 000014
【図１３】
2005012480.tif 000015
【図１４】
2005012480.tif 000016
【図１５】
2005012480.tif 000017
【図１６】
2005012480.tif 000018
【図１７】
2005012480.tif 000019
【図１８】
2005012480.tif 000020
【図１９】
2005012480.tif 000021
【図２０】
2005012480.tif 000022
【図２１】
2005012480.tif 000023
【図２２】
2005012480.tif 000024